(57)【要約】【課題】インターネット対応の携帯電話機を広告媒体として有効利用する。【解決手段】携帯電話機２に内蔵されたコンピュータを、電源スイッチがオンとなったことを検出する手段と、インターネット上の所定のサイトにリンクされた広告表示データをアイコンあるいは文字等の形式でメモリに格納するデータ格納手段と、携帯電話機２画面の所定のエリアにフレームを設定するフレーム設定手段と、電源スイッチがオンとなると携帯電話機２の画面１８にフレーム２０を表示するとともに該フレーム２０内に広告表示データを表示する表示手段として機能させ、インターネット対応の携帯電話機２の電源スイッチをオンとすると、初期画面に所定のインターネット上のサイトにリンクされた広告表示２２がアイコンや文字等の形式により自動的に表示され、携帯電話機のユーザには、サイトへのアクセス回数に応じて所要の金額がキャッシュバックされる。【選択図】  図５
2005300806.tif 000002
【特許請求の範囲】
【請求項１】
インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、
電源スイッチがオンとなったことを検出する手段、
インターネット上の所定のサイトにリンクされた広告表示データをアイコンあるいは画像、文字等の形式でメモリに格納するデータ格納手段、
電源スイッチがオンとなると前記広告表示データを画面に表示する表示手段、
として機能させたことを特徴とするインターネット対応の携帯電話機を利用した広告システム。
【請求項２】
インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、
電源スイッチがオンとなったことを検出する手段、
インターネット上の所定のサイトにリンクされた広告表示データをアイコンあるいは画像、文字等の形式でメモリに格納するデータ格納手段、
携帯電話機の画面の所定のエリアに該画面の遷移に関係なく常に画面の所定の領域に表示されるフレームを設定するフレーム設定手段、
電源スイッチがオンとなると携帯電話機の画面に前記フレームを表示するとともに該フレーム内に前記広告表示データを表示する表示手段、
として機能させたことを特徴とするインターネット対応の携帯電話機を利用した広告システム。
【請求項３】
前記広告表示が前記携帯電話機の初期画面に表示されるようにしたことを特徴とする請求項１又は請求項２に記載のインターネット対応の携帯電話機を利用した広告システム。
【請求項４】
インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、
電源スイッチがオンとなったことを検出する手段、
インターネット上の所定のサイトにリンクされた広告表示データをアイコンあるいは画像、文字等の形式でメモリに格納するデータ格納手段、
電源スイッチがオンとなると前記広告表示データを画面に表示する表示手段、
として機能させ、インターネット上にデータ管理サーバを構築し、該データ管理サーバを、前記携帯電話機から前記サイトへのアクセス回数を計測する手段として機能させ、前記アクセス回数に応じて所要の金額を前記携帯電話機のユーザに支払うキャッシュバック手段を備えたことを特徴とするインターネット対応の携帯電話機を利用した広告システム。
【請求項５】
インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、
電源スイッチがオンとなったことを検出する手段、
インターネット上の所定のサイトにリンクされた広告表示データをアイコンあるいは画像、文字等の形式でメモリに格納するデータ格納手段、
携帯電話機の画面の所定のエリアに該画面の遷移に関係なく常に画面の所定の領域に表示されるフレームを設定するフレーム設定手段、
電源スイッチがオンとなると携帯電話機の画面に前記フレームを表示するとともに該フレーム内に前記広告表示データを表示する表示手段、
として機能させ、インターネット上にデータ管理サーバを構築し、該データ管理サーバを、前記携帯電話機から前記サイトへのアクセス回数を計測する手段として機能させ、前記アクセス回数に応じて所要の金額を前記携帯電話機のユーザに支払うキャッシュバック手段を備えたことを特徴とするインターネット対応の携帯電話機を利用した広告システム。
【発明の詳細な説明】
【技術分野】
【０００１】
本発明は、インターネット対応の携帯電話機を利用したプッシュ型の広告システムに関する。
【背景技術】
【０００２】
パソコンの分野では、新機種を購入し、電源を投入すると、画面に、ユーザにとって利便性の高い情報サイトへインターネットを通じて簡単に接続できるアイコンが表示されるものがある（例えば特許文献１参照）。また、デスクトップ広告をバンドルした無料パソコンが知られている。また、携帯電話機の分野ではインターネット対応の機種が一般的となっている。また、インターネットでの広告としてバナー広告が知られている。バナー広告とは、広告を請け負うＷｅｂサイトに、広告依頼主が簡潔にわかる画像と、広告依頼主のＷｅｂサイトへのリンクを張ることで、多くの閲覧者に対し認知度を上げる手法である。
【特許文献１】特開２００１−２０９３６３号公報
【発明の開示】
【発明が解決しようとする課題】
【０００３】
現在、携帯電話機は膨大な数が製造されている。ユーザーが携帯電話機を新規に購入し、電源スイッチを投入した場合、携帯電話機の初期画面には何らアイコンなどを用いた広告表示が行われていない。しかかしながら、携帯電話機の画面に広告表示をすることは大きな広告効果が見込め、キャリア会社や携帯電話機の製造メーカーにとっても多大な広告収入を見込める有望な市場である。しかるに、新規に生産される携帯電話機の画面を広告媒体として有効に利用していないのが現状である。
また、携帯電話機のユーザに、自己の携帯電話機の画面に表示される広告表示に対して強い興味を持たせ、積極的にスポンサーのＷｅｂサイトにアクセスしようとする強い意欲を持たせる効果的な広告方式が開発されていない。
本発明は上記問題点を解決することを目的とする。
【課題を解決するための手段】
【０００４】
上記目的を達成するため本発明は、インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、電源スイッチがオンとなったことを検出する手段、インターネット上の所定のサイトにリンクされた広告表示データをアイコンあるいは画像、文字等の形式でメモリに格納するデータ格納手段、電源スイッチがオンとなると前記広告表示データを画面に表示する表示手段、として機能させたものである。
また本発明は、インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、電源スイッチがオンとなったことを検出する手段、インターネット上の所定のサイトにリンクされた広告表示データをアイコンあるいは画像、文字等の形式でメモリに格納するデータ格納手段、携帯電話機の画面の所定のエリアに該画面の遷移に関係なく常に画面の所定の領域に表示されるフレームを設定するフレーム設定手段、電源スイッチがオンとなると携帯電話機の画面に前記フレームを表示するとともに該フレーム内に前記広告表示データを表示する表示手段、として機能させたものである。
また本発明は、前記広告表示が前記携帯電話機の初期画面に表示されるようにしたものである。
また本発明は、インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、電源スイッチがオンとなったことを検出する手段、インターネット上の所定のサイトにリンクされた広告表示データをアイコンあるいは画像、文字等の形式でメモリに格納するデータ格納手段、電源スイッチがオンとなると前記広告表示データを画面に表示する表示手段、として機能させ、インターネット上にデータ管理サーバを構築し、該データ管理サーバを、前記携帯電話機から前記サイトへのアクセス回数を計測する手段として機能させ、前記アクセス回数に応じて所要の金額を前記携帯電話機のユーザに支払うキャッシュバック手段を備えたものである。
また本発明は、インターネット対応の携帯電話機の電源スイッチをオンとすると、画面に所定のインターネット上のサイトにリンクされた広告表示をアイコンや画像、文字等の形式により自動的に表示するようにしたプッシュ型広告システムであって、前記携帯電話機に内蔵されたコンピュータを、電源スイッチがオンとなったことを検出する手段、インターネット上の所定のサイトにリンクされた広告表示データをアイコンあるいは画像、文字等の形式でメモリに格納するデータ格納手段、携帯電話機の画面の所定のエリアに該画面の遷移に関係なく常に画面の所定の領域に表示されるフレームを設定するフレーム設定手段、電源スイッチがオンとなると携帯電話機の画面に前記フレームを表示するとともに該フレーム内に前記広告表示データを表示する表示手段、として機能させ、インターネット上にデータ管理サーバを構築し、該データ管理サーバを、前記携帯電話機から前記サイトへのアクセス回数を計測する手段として機能させ、前記アクセス回数に応じて所要の金額を前記携帯電話機のユーザに支払うキャッシュバック手段を備えたものである。
【発明の効果】
【０００５】
本発明は、電源スイッチを投入すると携帯電話機の画面に契約したスポンサーの広告表示が表示されるのでスポンサーにとって大きな広告効果を得られるとともにキャリア会社や携帯電話機製造メーカーにとっても多大な広告収入が得られるという効果がある。
また、ユーザは自己の携帯電話機のインターネット広告のリンクサイトへのアクセス回数に応じてキャッシュバックが生じるので、インターネット広告のアクセス回数が多くなり、広告効果が増大するとともに、ユーザにとっても収入が得られるという効果がある。
【発明を実施するための最良の形態】
【０００６】
以下に本発明の実施の形態を添付した図面を参照して詳細に説明する。
図１は本発明に係るインターネット対応の携帯電話機を利用した広告システムのハードウエア構成を示している。
携帯電話機２は、新規に製造された時点で、そのメモリに広告表示用ブラウザが広告表示プログラム４として組み込まれている。この広告表示プログラム４は、制御部６と、電源スイッチオン検出部８と、フレーム設定部１０と、広告表示データ格納部１２と、インターネット接続部１４と、データ表示部１６とから構成されている。
【０００７】
フレーム設定部１０は、画面１８の下部の所定のエリアにフレーム２０を設定する。フレーム２０は、画面１８内に独立した表示制御領域を構成し、フレーム２０の枠内の、アイコン、メッセージ、画像等の広告表示２２は、画面１８の初期画面の遷移や画面に表示したホームページなどのメイン画面の遷移に関係なく、常に画面１８の所定の領域に表示されるように構成されている。データ表示部１６は、制御部６の制御に基づいて、フレーム２０内に、広告表示データ格納部１２に格納されている広告表示データを表示するように構成されている。ユーザーが携帯電話機２の電源スイッチをオンとすると、電源スイッチオン検出部８によって電源スイッチオンが検出されこれにより制御部６が働き、フレーム設定部１０、データ表示部１６が制御され、画面１８にフレーム２０が表示されるとともに、フレーム２０内に所定の広告表示２２が表示されるように構成されている。
【０００８】
広告表示２２は、各種のアイコンやそれに類する画像や文字、各種のメッセージなどの表現形式を持ち、それぞれ、企業名や商品等に対応している。各広告表示２２は、インターネット２４上のＷｅｂサーバー２６に構築された、スポンサーが運営する特定のサイトにリンクし、該サイトのＵＲＬ情報を備えている。図１中、符号２８は基地局、３０はインターネットサービスを提供するキャリア会社の中央サーバなどが収容されたセンターである。
【０００９】
新機種の携帯電話機２の画面１８に、業務、サービス、商品等の広告をアイコンやメッセージの形態で掲載したいスポンサー企業は、エージェント６４（図７参照）と契約を結び、アイコンやメッセージの掲載権を購入しエージェントに広告料として代金を支払う。エージェントは、スポンサー３８が決まると、広告表示プログラム４を作成し、携帯電話機２のメーカー６６に提示する。メーカーは、エージェントの注文に応じて、所定の台数の各携帯電話機２のメモリに広告表示プログラム４を組み込み、所定の手数料をエージェントから受け取る。エージェントは、企業（スポンサー）と広告契約を結ぶ際、その企業に代わってインターネット２４上の、携帯電話機の初期画面上の広告表示２２にリンクする、サイトをＷｅｂサーバーに構築するサービスを行うようにしても良い。
【００１０】
上記した構成において、ユーザー６０が携帯電話機２を新規に購入し、電源スイッチをオンとすると、携帯電話機２内の広告表示プログラム４が動作し、画面１８に、その初期画面とともにアイコン、メッセージ、画像などの形式の広告表示２２が表示される。この広告表示２２は、フレーム設定部１０の動作により、画面１８の下部に形成されたフレーム２０内に表示されるが、本発明の実施に際しては、特にフレームを設定する構成に限定されるものではない。また、広告表示は初期画面以外の画面に表示するようにしても良い。
【００１１】
ユーザーが、画面１８上の広告表示２２をクリックすると、クリックした広告表示２２に含まれるＵＲＬに対応するサイトがインターネット接続部１４の動作により、Ｗｅｂサーバ２６からセンター３０、基地局２８を通じて携帯電話機２にダウンロードされ、クリックしたアイコンに対応するサイトが画面１８に表示される。前記各Ｗｅｂサーバ２６は、コンテンツデータをアクセスしてきた各キャリアの携帯電話機２の端末の種類に合わせたコンテンツデータに編集・変換するファイル変換プログラムを備えている。これにより、各Ｗｅｂサーバ２６のサイトは、各種の携帯電話機２に対応することができるように構成されている。
【００１２】
また、携帯電話機２にプリインストールされ、広告表示データ格納部１２に格納された広告表示２２は、インターネット２４を介して、エージェントが運営するデータ管理サーバから更新することができる。
尚、上記実施形態では、携帯電話機２に予め、広告表示データ格納部１２に広告表示２２のデータを格納し、電源スイッチオンにより、広告表示２２が画面１８に表示される構成となっているが、この構成に特に限定されるものではない。図３及び図４に示す実施形態では、広告表示プログラム３４は、携帯電話機２に広告表示２２のデータを予めインストールしないで、携帯電話機２の電源スイッチがオンとなると、ダウンロード処理部３６が働くようになし、エージェントが運営するデータ管理サーバ３２から広告表示のデータをダウンロードし、広告表示のデータが広告表示データ格納部１２に格納される構成としている。
【００１３】
また、フレーム設定部１０も予め携帯電話機２のメモリにインストールしないで、携帯電話機２の電源スイッチをオンとすると、前記データ管理サーバ３２からフレームワーク表示ブラウザプログラムが、インターネット接続部１４を通じて、携帯電話機２のフレーム設定部１０にダウンロードされ、携帯電話機２にフレーム設定部１０が構成されるようにしても良い。
【００１４】
次に本発明の他の実施形態を図５、図６を参照して説明する。
スポンサー（広告依頼主）３８とのインターネット広告の契約やキャリア６２とのインターネット広告に関する取り決めなどを行うエージェント６４には、ユーザ（利用者）６０へのキャッシュバック４０を行うためのデータを扱うコンピュータであるデータ管理サーバ４１が設置されている。このデータ管理サーバ４１は、インターネット網２４を介して、携帯電話サービスを提供している各キャリア６２のセンター３０の中央サーバやスポンサー企業が運営する各Ｗｅｂサーバ２６に接続されている。本実施形態において、ユーザ６０の持つ携帯電話機２は、図１及び図３に示す実施形態で使用されているものと同一であり、予め広告表示ブラウザプログラム即ち広告表示プログラム４又は３４がインストールされている。
【００１５】
前記データ管理サーバ４１には、通信管理プログラム４２が組み込まれている。通信管理プログラム４２は、各携帯電話機２の、画面１８のフレーム２０の枠内に表示された広告表示２２を通じた、該広告表示２２にリンクするサイトへのアクセス回数、アクセス時間を各携帯電話機２ごとに計測する機能を有している。また、通信管理プログラム４２は、そのアクセス計測データに基づいて、ユーザ６０への謝礼金（キャッシュバック）の額を計算するキャッシュバック計算機能を有している。
【００１６】
上記した構成において、ユーザ６０が、携帯電話機２の画面１８のフレーム２０の中の広告表示２２であるアイコンやメッセージの中のリンク表示をクリックすると、クリックしたアイコン広告表示やリンク表示に対応するサイトをアクセスするための要求メッセージが、ユーザの携帯電話機２を通じて、インターネット２４に発信される。データ管理サーバ４１は、通信管理プログラム４２の通信インターフェイス４４で、この要求メッセージを受け取る。通信管理プログラム４２のユーザ識別部４８は、制御部６０の制御により、セッションデータベース４６を照合して、要求メッセージの中のユーザＩＤ情報に基づき、ユーザ６０を特定する。
【００１７】
次にデータ管理サーバ４１はこの通信管理プログラム４２のアクセス回数カウント部５２によって、ユーザ６０がクリックしたサイトのアクセス数をカウントする。また、アクセス時間カウント部５４は、ユーザ６０がアクセスしたサイトへのアクセス時間をカウントする。通信管理プログラム４２のアクセス回数カウント部５２とアクセス時間カウント部５４のセッション情報に基づいて、ユーザ６０ごとに、ユーザ６０への謝礼金（キャッシュバック）の額を予め規定されている基準によって計算する。
【００１８】
この計算結果は、一旦キャッシュバックデータ格納部５０に格納される。通信管理プログラム４２の制御部６０は、ユーザ６０ごとにキャッシュバックの額をキャッシュバックデータ格納部５０に格納し、このキャッシュバックの額は、制御部６０によって、キャリア６２のセンター３０の中央サーバに送信される。キャリア６２は、センター３０において、ユーザに請求する通信料の中から、ユーザ６０に生じたキャッシュバック料を差し引き、この差し引いた額を通信料としてユーザ６０に請求する。
【００１９】
これにより、ユーザ６０は、自己の携帯電話機２に表示されているインターネット広告を利用した謝礼として、所要の金額を受け取る。ユーザ６０は、広告表示２２をクリックしスポンサー３８のサイトへのアクセス回数が多くなればなるほどキャッシュバック４０が多くなる。そのため、ユーザ６０の携帯電話機２の画面１８に表示された広告表示２２への関心が高まり、そのアクセス数が増加する。
【００２０】
携帯電話機２の画面の広告表示２２のコンテンツは、更新データを、データ管理サーバ４１の通信管理プログラム４２により形成された広告表示更新処理部５８に入力することにより、所望の表示に更新することができる。ユーザ６０に支払われるキャッシュバック４０は、エージェント６４がスポンサー３８から受け取る広告費の一部が充てられる。ユーザ６０へのキャッシュバックの方法は、キャリアからユーザに請求される通信料から差し引く形態に特に限定されるものではなく、ユーザ６０の口座に、通信料とは関係なく、自動的に振り込む方法その他を採用することができる。
【００２１】
図７は、上記実施形態における、キャリア６２、スポンサー３８、エージェント６４、電話機製造メーカ６６のビジネス収益関係を示すものである。ユーザ６０とキャリア６２の関係においては、キャッシュバックにより、パケット代の軽減が発生し、また、ユーザ６０に新しい情報源を含む便利なツールが提供される。エージェント６４からは、キャリア６２、電話機製造メーカ６６に対してスポンサー３８からの広告収益が提供され、キャリア６２には電話機製造メーカ６６からの、アイコンなど広告表示のプリインストール事前導入等に伴う収益が発生する。キャリア６２を代理するエージェント６４は、スポンサー３８を確保し、スポンサー３８にアイコンやメッセージを販売し、該販売によって広告収入を得る。
【図面の簡単な説明】
【００２２】
【図１】本発明のブロック説明図である。
【図２】広告表示プログラムの機能説明ブロック図である。
【図３】本発明の他の実施形態のブロック説明図である。
【図４】広告表示プログラムの他の実施形態の機能説明ブロック図である。
【図５】本発明の他の実施形態のブロック説明図である。
【図６】通信管理プログラムの機能説明ブロック図である。
【図７】本発明のブロック説明図である。
【符号の説明】
【００２３】
２      携帯電話機
４      広告表示プログラム
６      制御部
８      電源スイッチオン検出部
１０    フレーム設定部
１２    広告表示データ格納部断熱材
１４    インターネット接続部
１６    データ表示部
１８    画面
２０    フレーム
２２    広告表示
２４    インターネット
２６    Ｗｅｂサーバー
２８    基地局
３０    センター
３２    データ管理サーバ
３４    通信管理プログラム
３６    データダウンロード処理部
３８    スポンサー
４０    キャッシュバック
４１    データ管理サーバ
４２    通信管理プログラム
４４    通信インターフェイス
４６    セッションデータベース
４８    ユーザ識別部
５０    キャッシュバックデータ格納部
５２    アクセス回数カウント部
５４    アクセス時間カウント部
５６    キャッシュバック計算部
５８    広告表示更新処理部
６０    ユーザ
６２    キャリア
６４    エージェント
６６    電話機製造メーカ
【図１】
2005300806.tif 000003
【図２】
2005300806.tif 000004
【図３】
2005300806.tif 000005
【図４】
2005300806.tif 000006
【図５】
2005300806.tif 000007
【図６】
2005300806.tif 000008
【図７】
2005300806.tif 000009